(57)【要約】      （修正有）【課題】かご室の美観を損なうことなく、また、かご天井の高さに影響を与えることもなく、かご室照明の光源を取り替えることができるエレベータのかご室天井を得る。【解決手段】エレベータのかご室２１の上面を覆う天井板１０と、この天井板１０から垂下された吊り具１７に係止されてかご室２１内の天井を形成する吊り天井板１との間に、かご室２１内を照明する光源６が収納されたエレベータのかご室天井に係るものであって、光源６を避けた部位で天井板１０に逃し孔１８を形成し、常時は逃し孔１８を逃し孔蓋１１で閉じておく。光源６を取り替える場合は、吊り天井板１の一端部を押し上げて逃し孔蓋１１を開いて吊り天井板１の一部をかご室２１外へ出して光源６を露出させて取り替えるようにした。【選択図】図１
2007008613.tif 000002
【特許請求の範囲】
【請求項１】
エレベータのかご室の上面を覆う天井板と、この天井板から垂下された吊り具に係止されてかご室内の天井を形成する吊り天井板との間に、上記かご室内を照明する光源が収納されたエレベータのかご室天井において、上記光源を避けた部位で上記天井板が欠切されて開口を形成する逃し孔と、上記天井板に揺動自在に係止されて常時は上記逃し孔を閉じる逃し孔蓋とを備え、上記吊り天井板の一端部を押し上げて上記逃し孔蓋を突き上げて開いて上記吊り天井板の上記一端部を上記逃し孔を介して上記天井板の外側へ露出させて上記吊り天井板の他端と上記吊り具及び隣接する上記吊り天井板との間に開口を形成し、この開口を介して上記光源を取り替えるようにしたエレベータのかご室天井。
【請求項２】
逃し孔蓋は、ヒンジによって天井板に揺動自在に係止されるものとした請求項１に記載のエレベータのかご室天井。
【請求項３】
逃し孔蓋の反ヒンジ側の端部には磁石が取り付けられて、常時は上記磁石によって天井板に吸着された状態で上記逃し孔を閉じるようにした請求項１に記載のエレベータのかご室天井。
【請求項４】
吊り天井板の上端によって突き上げられる部位の逃し孔蓋に、緩衝材が添着された請求項１に記載のエレベータのかご室天井。
【請求項５】
逃し孔蓋の過揺動を阻止するストッパが設置された請求項１に記載のエレベータのかご室天井。
【発明の詳細な説明】
【技術分野】
【０００１】
この発明は、かご室の上面を覆う天井板の下側に、かご室内の天井を形成する吊り天井板が設けられたエレベータのかご室天井に係るものである。
【背景技術】
【０００２】
従来のエレベータのかご室天井として、かご室内の天井を形成する吊り天井板の一側をかご室の固定部に蝶番によって枢着して下側へ回動可能にしたものがある。この吊り天井板の上面には、かご室照明装置が取り付けられており、保守作業時は、吊り天井板を下方へ回動させると、かご室照明装置も吊り天井板と共に回動して開放される。このため、光源体を容易に取り替えることができ、保守作業の改善が図られる（例えば、特許文献１参照）。
【０００３】
また、図６及び図７に示したものも従来のエレベータのかご室天井を示す。図６は、かご室２１を上側から見た平面図、図７は、図６のＶＩＩ−ＶＩＩ線断面を矢視した断面図である。
エレベータのかご室２１は、三方をかご側壁４で仕切られており、出入口側には、両側に袖壁９が立設され、上部には、出入口上板８が横設されている。また、かご室２１の上面は天井板１０で覆われている。この天井板１０からは吊り板１７が垂下されている。かご室２１の天井の周囲には、吊り板１７に係止された四周目地２が設けられている。また、中央部には中央目地３が設けられている。
天井板１０とかご室２１内の天井を形成する吊り天井板１との間には、光源６が収納されている。この光源６は、光源取付金具７を介して天井板１０に取り付けられて、常時吊り天井板１によって覆われている。
【０００４】
光源６を取り替えるには、天井板１０と吊り天井板１の間の空間内で、吊り天井板１の一端部を押し上げて、図７に符号１´示したように傾斜させて、他端部と中央目地３との係合を外す。傾斜した吊り天井板１´の他端と吊り板１７、中央目地３及び隣接する吊り天井板１との間に開口が形成される。この開口を介して光源６を取り替えることができる。
【０００５】
【特許文献１】特開平６−９１７７号公報
【発明の開示】
【発明が解決しようとする課題】
【０００６】
従来のエレベータのかご室天井は、上記のとおり構成されており、特許文献１に記載されたエレベータのかご室天井によれば、吊り天井板が蝶番によってかご室の固定部である目地に枢着されるので、目地を太くしなければならず美観を損なう、という問題があった。
また、図６及び図７に記載されたエレベータのかご室天井は、中央目地３との係合を外すことができる位置まで吊り天井板１を傾斜させなければならない。即ち、光源６の取替えのために、天井板１０と吊り天井板１との間隔Ｄｐを大きくしなければならず、延いては、かご天井を高くしなければならなかった。
ところで、かごが最上階に停止したときのかご上から昇降路天井までの頂部隙間は、所定距離を確保しなければならない。
このため、かご天井が高くなると、昇降路全高を高くしなければならない、という問題があった。
【０００７】
この発明は、上記問題点を解決するためになされたものであり、かご室の美観を損なうことなく、また、かご天井の高さに影響を与えることもなく吊り天井板を移動させて、かご室照明の光源を取り替えることができるエレベータのかご室天井を得ることを目的とする。
【課題を解決するための手段】
【０００８】
この発明に係るエレベータのかご室天井は、エレベータのかご室の上面を覆う天井板と、この天井板から垂下された吊り具に係止されてかご室内の天井を形成する吊り天井板との間に、上記かご室内を照明する光源が収納されたエレベータのかご室天井に係るものであって、上記光源を避けた部位で上記天井板が欠切されて開口を形成する逃し孔と、上記天井板に揺動自在に係止されて常時は上記逃し孔を閉じる逃し孔蓋とを備え、上記吊り天井板の一端部を押し上げて上記逃し孔蓋を突き上げて開いて上記吊り天井板を移動させて上記一端部を上記逃し孔を介して上記天井板の外側へ露出させて上記吊り天井板の他端と上記吊り具及び隣接する上記吊り天井板との間に開口を形成し、この開口を介して上記光源を取り替えるようにしたものである。
【発明の効果】
【０００９】
この発明は上記のとおり、吊り天井板の一端部で逃し孔蓋を突き上げて開いて逃し孔から天井板の外側へ露出させて移動させ、吊り天井板の他端と吊り具及び隣接する吊り天井板との間に開口を形成してかご室照明の光源を取り替えるようにしたものである。
従って、吊り天井板を移動させるために、吊り天井板に新たに付加される装置はないので、特に、目地の強度を上げる必要もなく、かご室の美観を損なうことはない、という効果を奏する。
また、吊り天井板を傾斜させたとき、一端部を逃し孔から天井板の外側へ露出させるようにしたので、天井板と吊り天井板の間隔が狭小であっても、光源を取り替えるのに必要な開口を確保することができる、という効果も奏する。
【発明を実施するための最良の形態】
【００１０】
以下、図面を参照して、この発明の実施の形態について説明する。なお、各図中、同一又は相当する部分には同一符号を付し、説明の重複を省いた。
実施の形態１．
図１から図５は、この発明の実施の形態１を示す。
図１は、図６のＶＩＩ−ＶＩＩ線断面相当部を矢視して断面図である。かご室２１は、図７について述べたように、三方をかご側壁４で仕切られており、出入口側には、両側に袖壁９が立設され、上部には、出入口上板８が横設されている。また、かご室２１の上面は天井板１０で覆われている。この天井板１０からは吊り板１７が要所に垂下されている。かご室２１の天井の周辺部には、吊り板１７に係止された四周目地２が設けられている。また、中央部には中央目地３が設けられている。
【００１１】
天井板１０とかご室２１内の天井を形成する吊り天井板１との間の空間には、光源６が収納されている。この光源６は、光源取付金具７を介して天井板１０に取り付けられて、常時吊り天井板１によって覆われている。
光源６が取り付けられた天井板１０には、上記光源６を避けた部位、即ち、図１では、前側の光源６よりも出入口上板８側、及び後側の光源６よりもかご室２１の奥側に、それぞれ吊り天井板１が貫通するのに必要な幅に欠切された逃し孔１８が形成されている。各逃し孔１８は、逃し孔蓋１１の揺動によって開閉されるようになっている。また、逃し孔蓋１１の上部には、鞍形のストッパ１３が跨設されていて、逃し孔蓋１１が過度に揺動するのを阻止するようになっている。
【００１２】
図２は、逃し孔蓋１１の取付部を示す断面図で、逃し孔１８を閉じた状態を示す。
逃し孔蓋１１は、一辺１９ａが天井板１０の上面に固着され、他辺１９ｂを揺動させて逃し孔１８を橋絡するヒンジ１９と、このヒンジ１９の他辺１９ｂのかご室２１側の面に固着されて逃し孔１８の開口に内挿される緩衝材１２と、ヒンジ１９の他辺１９ｂの先端部の反かご室２１側の面に固着されて突設されたブラケット２０と、このブラケット２０のかご室２１側の面に固着されて天井板１０の上面に吸着する磁石１４と、ヒンジ１９の他辺１９ｂと天井板１０との当り及び磁石１４と天井板１０との当りを和らげる緩衝材１５とからなっている。
【００１３】
図３は、逃し孔蓋１１をかご室２１の中央部側から俯視した斜視図、図４は、逃し孔蓋１１をかご室２１の端部側から仰視した斜視図で、いずれも逃し孔蓋１１を開いた状態を示す。
図４に示したとおり、磁石１４と緩衝材１５は、交互に配置されてブラケット２０に取り付けられている。詳細はすでに説明したので、以下、重複説明は省く。
【００１４】
図５は、光源６を取り替える手順を示す説明用図である。
図５（ａ）は、通常の状態を示し、光源６は吊り天井板１によって覆われている。この状態から光源６を取り外す場合について述べる。
図５（ｂ）は、逃し孔１８が開けられた側の吊り天井板１の一端部を押し上げる。このとき、他端部は、中央目地３に係合している。吊り天井板１を更に押し上げて逃し孔蓋１１を突き上げる。逃し孔蓋１１は、磁石１４の吸引力に抗して押し上げられて天井板１０との間に隙間ができる。
図５（ｃ）に示したように、逃し孔蓋１１と天井板１０の間の隙間から吊り天井板１を天井板１０の外側へ露出させて吊り天井板１の他端と吊り板１７及び隣接する吊り天井板１との間に開口を形成する。
図５（ｄ）に示したように、吊り天井板１を移動させて形成された開口を介して光源６を取り替える。
光源６が取り外された光源取付金具７に、新規に光源６を取り付けるには、上記とは、逆の手順で行えばよい。
【００１５】
上記実施の形態１によれば、吊り天井板１の一端部で逃し孔蓋１１を突き上げて開いて逃し孔１８から天井板１０の外側へ吊り天井板１を移動させて露出させ、吊り天井板１の他端と吊り具１７及び隣接する吊り天井板１との間に開口を形成してかご室照明の光源６を取り替えるようにしたものである。
このため、天井板１０と吊り天井板１の間隔Ｄｐが狭小であっても、光源６を取り替えるのに必要な開口を確保することができる。
また、吊り天井板１を移動させて、かご室２１から外部へ露出させるようにしたので、四周目地２及び中央目地３にヒンジ等を付加する必要もない。このため、上記特許文献１の場合のように、目地を太くする必要もなく、美観を損なうこともない。
更に、逃し孔蓋１１に緩衝材１２を取り付けたので、吊り天井板１の一端部が当っても吊り天井板１が損傷することもない。
更にまた、ブラケット２０には、磁石１４を取り付けて天井板１０に吸着するようにしたので、逃し孔蓋１１が不用意に開くこともない。
更にまた、ブラケット２０には、緩衝材１５も取り付けたので、逃し孔蓋１１が閉じるときに、天井板１０との衝撃を緩めることができる。
更にまた、逃し孔蓋１１の上部には、鞍形のストッパ１３を跨設したので、逃し孔蓋１１が過度に揺動するのを阻止することができる。このため、吊り天井板１をかご室２１内へ撤収すると共に逃し孔蓋１１は自重によって閉じる。
【図面の簡単な説明】
【００１６】
【図１】この発明の実施の形態１におけるエレベータのかご室天井の縦断面図。
【図２】この発明の実施の形態１におけるエレベータのかご室天井の逃し孔蓋１１の取付部を示す断面図。
【図３】この発明の実施の形態１におけるエレベータのかご室天井の逃し孔蓋１１をかご室２１の中央部側から俯視した斜視図。
【図４】この発明の実施の形態１におけるエレベータのかご室天井の逃し孔蓋１１をかご室２１の端部側から仰視した斜視図。
【図５】この発明の実施の形態１におけるエレベータのかご室天井の光源６を取り替える手順を示す説明用図。
【図６】従来のエレベータのかご室天井の平面図。
【図７】図６のＶＩＩ−ＶＩＩ線断面を矢視した断面図。
【符号の説明】
【００１７】
１  吊り天井板、  ２  四周目地、  ３  中央目地、  ４  かご側壁、  ５  かざり板、  ６  光源、  ７  光源取付金具、  ８  出入口上板、  ９  袖壁、  １０  天井板、  １１  逃し孔蓋、  １２  緩衝材、  １３  ストッパ、  １４  磁石、  １５  緩衝材、  １７  吊り板、  １８  逃し孔、  １９  ヒンジ、  ２０  ブラケット、  ２１  かご室。
【図１】
2007008613.tif 000003
【図２】
2007008613.tif 000004
【図３】
2007008613.tif 000005
【図４】
2007008613.tif 000006
【図５】
2007008613.tif 000007
【図６】
2007008613.tif 000008
【図７】
2007008613.tif 000009